【手続補正書】
【提出日】平成19年10月10日(2007.10.10)
【手続補正１】
【補正対象書類名】明細書
【補正対象項目名】特許請求の範囲
【補正方法】変更
【補正の内容】
【特許請求の範囲】
【請求項１】親機としての集中管理装置と、周辺装置と接続し、子機として前記集中管理装置に無線により通信する複数の通信制御装置と、通信網を介して前記集中管理装置に接続され、前記集中管理装置を識別するための親機識別子データと前記複数の各通信制御装置を識別するための子機識別子データとに基づき前記集中管理装置及び前記複数の各通信制御装置を識別して、前記通信網及び前記集中管理装置を介して前記周辺装置を遠隔から管理する管理センターとを有する周辺装置の集中管理システムであって、
前記管理センターは、
前記親機識別子データ及び前記複数の各通信制御装置の複数の前記子機識別子データを保持する保持手段と、
前記保持手段により保持された前記親機識別子データ及び前記複数の子機識別子データを前記通信網を介して前記集中管理装置に転送する転送手段とを有し、
前記集中管理装置は、
前記転送手段により転送された前記親機識別子データ及び前記複数の子機識別子データを格納する格納手段を有することを特徴とする周辺装置の集中管理システム。
【請求項２】  前記転送手段による転送は、前記集中管理装置が新たな集中管理装置に交換される際に該新たな集中管理装置に対してなされることを特徴とする請求項１記載の周辺装置の集中管理システム。
【請求項３】  前記転送手段による転送は、前記親機識別子データ及び前記複数の全通信制御装置の子機識別子データについて一括して行われることを特徴とする請求項１または２記載の周辺装置の集中管理システム。
【請求項４】  格納部を有する親機としての集中管理装置と、周辺装置と接続し、子機として前記集中管理装置に無線により通信する複数の通信制御装置と、通信網を介して前記集中管理装置に接続され、前記集中管理装置を識別するための親機識別子データと前記複数の各通信制御装置を識別するための子機識別子データとに基づき前記集中管理装置及び前記複数の各通信制御装置を識別して、前記通信網及び前記集中管理装置を介して前記周辺装置を遠隔から管理する管理センターとを有する周辺装置の集中管理システムであって、
前記複数の通信制御装置のうちの特定の通信制御装置は、
前記親機識別子データ及び前記複数の各通信制御装置の複数の前記子機識別子データを保持する保持手段と、
前記保持手段により保持された前記親機識別子データ及び前記複数の子機識別子データを無線により前記集中管理装置に転送する転送手段とを有し、
前記集中管理装置は、
前記転送手段により転送された前記親機識別子データ及び前記複数の子機識別子データを前記格納部に格納する格納手段を有することを特徴とする周辺装置の集中管理システム。
【請求項５】  前記集中管理装置と前記複数の通信制御装置とは、ＰＨＳ無線データ通信で通信することを特徴とする請求項４記載の周辺装置の集中管理システム。
【請求項６】  前記転送手段による転送は、前記集中管理装置と前記特定の通信制御装置との間のＰＨＳ無線データ通信における子機間直接通信モードを用いてなされることを特徴とする請求項５記載の周辺装置の集中管理システム。
【請求項７】  前記転送手段による転送は、前記集中管理装置が新たな集中管理装置に交換される際に該新たな集中管理装置に対してなされることを特徴とする請求項４〜６のいずれか１項に記載の周辺装置の集中管理システム。
【請求項８】  前記転送手段による転送は、前記親機識別子データ及び前記複数の全通信制御装置の子機識別子データについて一括して行われることを特徴とする請求項４〜７のいずれか１項に記載の周辺装置の集中管理システム。
【請求項９】  集中管理装置と、周辺装置と接続し、子機として前記集中管理装置に無線により通信する複数の通信制御装置と、通信網を介して前記集中管理装置に接続され、前記集中管理装置を識別するための親機識別子データと前記複数の各通信制御装置を識別するための子機識別子データとに基づき前記集中管理装置及び前記複数の各通信制御装置を識別して、前記通信網及び前記集中管理装置を介して前記周辺装置を遠隔から管理する管理センターとを有する周辺装置の集中管理システムであって、
前記集中管理装置は、
該集中管理装置に対して分離及び結合が可能に構成され前記親機識別子データ及び前記複数の各通信制御装置の複数の前記子機識別子データを格納する格納手段と、
前記集中管理装置が新たな集中管理装置に交換される際に前記集中管理装置から取り外された前記格納手段が前記新たな集中管理装置に装着されると、前記格納手段に格納されている前記親機識別子データ及び前記複数の子機識別子データを前記新たな集中管理装置にて利用できるようにする着脱手段とを有することを特徴とする周辺装置の集中管理システム。
【請求項１０】  格納部を有する親機としての集中管理装置と、周辺装置と接続し、子機として前記集中管理装置に無線により通信する複数の通信制御装置と、通信網を介して前記集中管理装置に接続され、前記集中管理装置を識別するための親機識別子データと前記複数の各通信制御装置を識別するための子機識別子データとに基づき前記集中管理装置及び前記複数の各通信制御装置を識別して、前記通信網及び前記集中管理装置を介して前記周辺装置を遠隔から管理する管理センターとを有する周辺装置の集中管理システムにおける周辺装置の集中管理方法であって、
前記管理センターにおいて、
前記親機識別子データ及び前記複数の各通信制御装置の複数の前記子機識別子データを保持する保持工程と、
前記保持工程において保持された前記親機識別子データ及び前記複数の子機識別子データを前記通信網を介して前記集中管理装置に転送する転送工程とを実行し、
前記集中管理装置において、
前記転送工程において転送された前記親機識別子データ及び前記複数の子機識別子データを前記格納部に格納する格納工程を実行することを特徴とする周辺装置の集中管理方法。
【請求項１１】  格納部を有する親機としての集中管理装置と、周辺装置と接続し、子機として前記集中管理装置に無線により通信する複数の通信制御装置と、通信網を介して前記集中管理装置に接続され、前記集中管理装置を識別するための親機識別子データと前記複数の各通信制御装置を識別するための子機識別子データとに基づき前記集中管理装置及び前記複数の各通信制御装置を識別して、前記通信網及び前記集中管理装置を介して前記周辺装置を遠隔から管理する管理センターとを有する周辺装置の集中管理システムにおける周辺装置の集中管理方法であって、
前記複数の通信制御装置のうちの特定の通信制御装置において、
前記親機識別子データ及び前記複数の各通信制御装置の複数の前記子機識別子データを保持する保持工程と、
前記保持工程において保持された前記親機識別子データ及び前記複数の子機識別子データを無線により前記集中管理装置に転送する転送工程とを実行し、
前記集中管理装置において、
前記転送工程において転送された前記親機識別子データ及び前記複数の子機識別子データを前記格納部に格納する格納工程を実行することを特徴とする周辺装置の集中管理方法。
【請求項１２】  親機としての集中管理装置と、周辺装置と接続し、子機として前記集中管理装置に無線により通信する複数の通信制御装置と、通信網を介して前記集中管理装置に接続され、前記集中管理装置を識別するための親機識別子データと前記複数の各通信制御装置を識別するための子機識別子データとに基づき前記集中管理装置及び前記複数の各通信制御装置を識別して、前記通信網及び前記集中管理装置を介して前記周辺装置を遠隔から管理する管理センターとを有する周辺装置の集中管理システムにおける周辺装置の集中管理方法であって、
前記集中管理装置は、該集中管理装置に対して分離及び結合が可能に構成され前記親機識別子データ及び前記複数の各通信制御装置の複数の前記子機識別子データを格納する格納部を有し、
前記集中管理装置において、
前記集中管理装置が新たな集中管理装置に交換される際に前記集中管理装置から取り外された前記格納部が前記新たな集中管理装置に装着されると、前記格納部に格納されている前記親機識別子データ及び前記複数の子機識別子データを前記新たな集中管理装置にて利用できるようにする着脱工程を実行することを特徴とする周辺装置の集中管理方法。
【請求項１３】  格納部を有する親機としての集中管理装置と、周辺装置と接続し、子機として前記集中管理装置に無線により通信する複数の通信制御装置と、通信網を介して前記集中管理装置に接続され、前記集中管理装置を識別するための親機識別子データと前記複数の各通信制御装置を識別するための子機識別子データとに基づき前記集中管理装置及び前記複数の各通信制御装置を識別して、前記通信網及び前記集中管理装置を介して前記周辺装置を遠隔から管理する管理センターとを有する周辺装置の集中管理システムにおける周辺装置の集中管理方法をコンピュータに実行させるプログラムを記憶した、コンピュータで読み取り可能な記憶媒体であって、
前記管理センターにおいて実行されるプログラムは、
前記親機識別子データ及び前記複数の各通信制御装置の複数の前記子機識別子データを保持する保持工程と、
前記保持工程において保持された前記親機識別子データ及び前記複数の子機識別子データを前記通信網を介して前記集中管理装置に転送する転送工程とを実行させるものであり、
前記集中管理装置において実行されるプログラムは、
前記転送工程において転送された前記親機識別子データ及び前記複数の子機識別子データを前記格納部に格納する格納工程を実行させるものであることを特徴とする記憶媒体。
【請求項１４】  格納部を有する親機としての集中管理装置と、周辺装置と接続し、子機として前記集中管理装置に無線により通信する複数の通信制御装置と、通信網を介して前記集中管理装置に接続され、前記集中管理装置を識別するための親機識別子データと前記複数の各通信制御装置を識別するための子機識別子データとに基づき前記集中管理装置及び前記複数の各通信制御装置を識別して、前記通信網及び前記集中管理装置を介して前記周辺装置を遠隔から管理する管理センターとを有する周辺装置の集中管理システムにおける周辺装置の集中管理方法をコンピュータに実行させるプログラムを記憶した、コンピュータで読み取り可能な記憶媒体であって、
前記複数の通信制御装置のうちの特定の通信制御装置において実行されるプログラムは、
前記親機識別子データ及び前記複数の各通信制御装置の複数の前記子機識別子データを保持する保持工程と、
前記保持工程において保持された前記親機識別子データ及び前記複数の子機識別子データを無線により前記集中管理装置に転送する転送工程とを実行させるものであり、
前記集中管理装置において実行されるプログラムは、
前記転送工程において転送された前記親機識別子データ及び前記複数の子機識別子データを前記格納部に格納する格納工程を実行させるものであることを特徴とする記憶媒体。
【請求項１５】  親機としての集中管理装置と、周辺装置と接続し、子機として前記集中管理装置に無線により通信する複数の通信制御装置と、通信網を介して前記集中管理装置に接続され、前記集中管理装置を識別するための親機識別子データと前記複数の各通信制御装置を識別するための子機識別子データとに基づき前記集中管理装置及び前記複数の各通信制御装置を識別して、前記通信網及び前記集中管理装置を介して前記周辺装置を遠隔から管理する管理センターとを有する周辺装置の集中管理システムにおける周辺装置の集中管理方法をコンピュータに実行させるプログラムを記憶した、コンピュータで読み取り可能な記憶媒体であって、
前記集中管理装置は、該集中管理装置に対して分離及び結合が可能に構成され前記親機識別子データ及び前記複数の各通信制御装置の複数の前記子機識別子データを格納する格納部を有し、
前記集中管理装置において実行されるプログラムは、
前記集中管理装置が新たな集中管理装置に交換される際に前記集中管理装置から取り外された前記格納部が前記新たな集中管理装置に装着されると、前記格納部に格納されている前記親機識別子データ及び前記複数の子機識別子データを前記新たな集中管理装置にて利用できるようにする着脱工程を実行させるものであることを特徴とする記憶媒体。
【手続補正２】
【補正対象書類名】明細書
【補正対象項目名】００２１
【補正方法】変更
【補正の内容】
【００２１】
【課題を解決するための手段】
上記目的を達成するために本発明は、親機としての集中管理装置と、周辺装置と接続し、子機として前記集中管理装置に無線により通信する複数の通信制御装置と、通信網を介して前記集中管理装置に接続され、前記集中管理装置を識別するための親機識別子データと前記複数の各通信制御装置を識別するための子機識別子データとに基づき前記集中管理装置及び前記複数の各通信制御装置を識別して、前記通信網及び前記集中管理装置を介して前記周辺装置を遠隔から管理する管理センターとを有する周辺装置の集中管理システムであって、前記管理センターは、前記親機識別子データ及び前記複数の各通信制御装置の複数の前記子機識別子データを保持する保持手段と、前記保持手段により保持された前記親機識別子データ及び前記複数の子機識別子データを前記通信網を介して前記集中管理装置に転送する転送手段とを有し、前記集中管理装置は、前記転送手段により転送された前記親機識別子データ及び前記複数の子機識別子データを格納する格納手段を有することを特徴とする。
【手続補正３】
【補正対象書類名】明細書
【補正対象項目名】００２２
【補正方法】変更
【補正の内容】
【００２２】
同じ目的を達成するために本発明は、格納部を有する親機としての集中管理装置と、周辺装置と接続し、子機として前記集中管理装置に無線により通信する複数の通信制御装置と、通信網を介して前記集中管理装置に接続され、前記集中管理装置を識別するための親機識別子データと前記複数の各通信制御装置を識別するための子機識別子データとに基づき前記集中管理装置及び前記複数の各通信制御装置を識別して、前記通信網及び前記集中管理装置を介して前記周辺装置を遠隔から管理する管理センターとを有する周辺装置の集中管理システムであって、前記複数の通信制御装置のうちの特定の通信制御装置は、前記親機識別子データ及び前記複数の各通信制御装置の複数の前記子機識別子データを保持する保持手段と、前記保持手段により保持された前記親機識別子データ及び前記複数の子機識別子データを無線により前記集中管理装置に転送する転送手段とを有し、前記集中管理装置は、前記転送手段により転送された前記親機識別子データ及び前記複数の子機識別子データを前記格納部に格納する格納手段を有することを特徴とする。
【手続補正４】
【補正対象書類名】明細書
【補正対象項目名】００２３
【補正方法】変更
【補正の内容】
【００２３】
同じ目的を達成するために本発明は、集中管理装置と、周辺装置と接続し、子機として前記集中管理装置に無線により通信する複数の通信制御装置と、通信網を介して前記集中管理装置に接続され、前記集中管理装置を識別するための親機識別子データと前記複数の各通信制御装置を識別するための子機識別子データとに基づき前記集中管理装置及び前記複数の各通信制御装置を識別して、前記通信網及び前記集中管理装置を介して前記周辺装置を遠隔から管理する管理センターとを有する周辺装置の集中管理システムであって、前記集中管理装置は、該集中管理装置に対して分離及び結合が可能に構成され前記親機識別子データ及び前記複数の各通信制御装置の複数の前記子機識別子データを格納する格納手段と、前記集中管理装置が新たな集中管理装置に交換される際に前記集中管理装置から取り外された前記格納手段が前記新たな集中管理装置に装着されると、前記格納手段に格納されている前記親機識別子データ及び前記複数の子機識別子データを前記新たな集中管理装置にて利用できるようにする着脱手段とを有することを特徴とする。
【手続補正５】
【補正対象書類名】明細書
【補正対象項目名】００２４
【補正方法】変更
【補正の内容】
【００２４】
同じ目的を達成するために本発明は、格納部を有する親機としての集中管理装置と、周辺装置と接続し、子機として前記集中管理装置に無線により通信する複数の通信制御装置と、通信網を介して前記集中管理装置に接続され、前記集中管理装置を識別するための親機識別子データと前記複数の各通信制御装置を識別するための子機識別子データとに基づき前記集中管理装置及び前記複数の各通信制御装置を識別して、前記通信網及び前記集中管理装置を介して前記周辺装置を遠隔から管理する管理センターとを有する周辺装置の集中管理システムにおける周辺装置の集中管理方法であって、前記管理センターにおいて、前記親機識別子データ及び前記複数の各通信制御装置の複数の前記子機識別子データを保持する保持工程と、前記保持工程において保持された前記親機識別子データ及び前記複数の子機識別子データを前記通信網を介して前記集中管理装置に転送する転送工程とを実行し、前記集中管理装置において、前記転送工程において転送された前記親機識別子データ及び前記複数の子機識別子データを前記格納部に格納する格納工程を実行することを特徴とする。
【手続補正６】
【補正対象書類名】明細書
【補正対象項目名】００２５
【補正方法】変更
【補正の内容】
【００２５】
同じ目的を達成するために本発明は、格納部を有する親機としての集中管理装置と、周辺装置と接続し、子機として前記集中管理装置に無線により通信する複数の通信制御装置と、通信網を介して前記集中管理装置に接続され、前記集中管理装置を識別するための親機識別子データと前記複数の各通信制御装置を識別するための子機識別子データとに基づき前記集中管理装置及び前記複数の各通信制御装置を識別して、前記通信網及び前記集中管理装置を介して前記周辺装置を遠隔から管理する管理センターとを有する周辺装置の集中管理システムにおける周辺装置の集中管理方法であって、前記複数の通信制御装置のうちの特定の通信制御装置において、前記親機識別子データ及び前記複数の各通信制御装置の複数の前記子機識別子データを保持する保持工程と、前記保持工程において保持された前記親機識別子データ及び前記複数の子機識別子データを無線により前記集中管理装置に転送する転送工程とを実行し、前記集中管理装置において、前記転送工程において転送された前記親機識別子データ及び前記複数の子機識別子データを前記格納部に格納する格納工程を実行することを特徴とする。
【手続補正７】
【補正対象書類名】明細書
【補正対象項目名】００２６
【補正方法】変更
【補正の内容】
【００２６】
同じ目的を達成するために本発明は、親機としての集中管理装置と、周辺装置と接続し、子機として前記集中管理装置に無線により通信する複数の通信制御装置と、通信網を介して前記集中管理装置に接続され、前記集中管理装置を識別するための親機識別子データと前記複数の各通信制御装置を識別するための子機識別子データとに基づき前記集中管理装置及び前記複数の各通信制御装置を識別して、前記通信網及び前記集中管理装置を介して前記周辺装置を遠隔から管理する管理センターとを有する周辺装置の集中管理システムにおける周辺装置の集中管理方法であって、前記集中管理装置は、該集中管理装置に対して分離及び結合が可能に構成され前記親機識別子データ及び前記複数の各通信制御装置の複数の前記子機識別子データを格納する格納部を有し、前記集中管理装置において、前記集中管理装置が新たな集中管理装置に交換される際に前記集中管理装置から取り外された前記格納部が前記新たな集中管理装置に装着されると、前記格納部に格納されている前記親機識別子データ及び前記複数の子機識別子データを前記新たな集中管理装置にて利用できるようにする着脱工程を実行することを特徴とする。
【手続補正８】
【補正対象書類名】明細書
【補正対象項目名】００２７
【補正方法】変更
【補正の内容】
【００２７】
同じ目的を達成するために本発明は、格納部を有する親機としての集中管理装置と、周辺装置と接続し、子機として前記集中管理装置に無線により通信する複数の通信制御装置と、通信網を介して前記集中管理装置に接続され、前記集中管理装置を識別するための親機識別子データと前記複数の各通信制御装置を識別するための子機識別子データとに基づき前記集中管理装置及び前記複数の各通信制御装置を識別して、前記通信網及び前記集中管理装置を介して前記周辺装置を遠隔から管理する管理センターとを有する周辺装置の集中管理システムにおける周辺装置の集中管理方法をコンピュータに実行させるプログラムを記憶した、コンピュータで読み取り可能な記憶媒体であって、前記管理センターにおいて実行されるプログラムは、前記親機識別子データ及び前記複数の各通信制御装置の複数の前記子機識別子データを保持する保持工程と、前記保持工程において保持された前記親機識別子データ及び前記複数の子機識別子データを前記通信網を介して前記集中管理装置に転送する転送工程とを実行させるものであり、前記集中管理装置において実行されるプログラムは、前記転送工程において転送された前記親機識別子データ及び前記複数の子機識別子データを前記格納部に格納する格納工程を実行させるものであることを特徴とする。
【手続補正９】
【補正対象書類名】明細書
【補正対象項目名】００２８
【補正方法】変更
【補正の内容】
【００２８】
同じ目的を達成するために本発明は、格納部を有する親機としての集中管理装置と、周辺装置と接続し、子機として前記集中管理装置に無線により通信する複数の通信制御装置と、通信網を介して前記集中管理装置に接続され、前記集中管理装置を識別するための親機識別子データと前記複数の各通信制御装置を識別するための子機識別子データとに基づき前記集中管理装置及び前記複数の各通信制御装置を識別して、前記通信網及び前記集中管理装置を介して前記周辺装置を遠隔から管理する管理センターとを有する周辺装置の集中管理システムにおける周辺装置の集中管理方法をコンピュータに実行させるプログラムを記憶した、コンピュータで読み取り可能な記憶媒体であって、前記複数の通信制御装置のうちの特定の通信制御装置において実行されるプログラムは、前記親機識別子データ及び前記複数の各通信制御装置の複数の前記子機識別子データを保持する保持工程と、前記保持工程において保持された前記親機識別子データ及び前記複数の子機識別子データを無線により前記集中管理装置に転送する転送工程とを実行させるものであり、前記集中管理装置において実行されるプログラムは、前記転送工程において転送された前記親機識別子データ及び前記複数の子機識別子データを前記格納部に格納する格納工程を実行させるものであることを特徴とする。
同じ目的を達成するために本発明は、親機としての集中管理装置と、周辺装置と接続し、子機として前記集中管理装置に無線により通信する複数の通信制御装置と、通信網を介して前記集中管理装置に接続され、前記集中管理装置を識別するための親機識別子データと前記複数の各通信制御装置を識別するための子機識別子データとに基づき前記集中管理装置及び前記複数の各通信制御装置を識別して、前記通信網及び前記集中管理装置を介して前記周辺装置を遠隔から管理する管理センターとを有する周辺装置の集中管理システムにおける周辺装置の集中管理方法をコンピュータに実行させるプログラムを記憶した、コンピュータで読み取り可能な記憶媒体であって、前記集中管理装置は、該集中管理装置に対して分離及び結合が可能に構成され前記親機識別子データ及び前記複数の各通信制御装置の複数の前記子機識別子データを格納する格納部を有し、前記集中管理装置において実行されるプログラムは、前記集中管理装置が新たな集中管理装置に交換される際に前記集中管理装置から取り外された前記格納部が前記新たな集中管理装置に装着されると、前記格納部に格納されている前記親機識別子データ及び前記複数の子機識別子データを前記新たな集中管理装置にて利用できるようにする着脱工程を実行させるものであることを特徴とする。
【手続補正１０】
【補正対象書類名】明細書
【補正対象項目名】００３１
【補正方法】変更
【補正の内容】
【００３１】
周辺装置である複数の複写機１０６（周辺装置）は、各々通信制御装置１０１ａ、１０１ｂを介して、集中管理装置１０３とＰＩＡＦＳ（PHS Internet Access Forum Standard）で通信可能に接続されている。集中管理装置１０３はモデム１０２により電話回線１０７を通じて通信網１０４に接続されている。管理センター１０５は回線制御装置１０８にパーソナルコンピュータ（ＰＣ）１０９が接続されて構成され、回線制御装置１０８は電話回線１０７を通じて通信網１０４に接続されている。なお、複数の複写機１０６、通信制御装置１０１はそれぞれ３つ以上存在してもよい。
【手続補正１１】
【補正対象書類名】明細書
【補正対象項目名】００３５
【補正方法】変更
【補正の内容】
【００３５】
集中管理装置１０３は、無線送受信部２０４、ＰＩＡＦＳ制御部２０５、インターフェイス処理部２０６、揮発メモリ部２０２、制御部２０１及び不揮発メモリ部２０７で構成される。制御部２０１には、無線送受信部２０４、ＰＩＡＦＳ制御部２０５、揮発メモリ部２０２、不揮発メモリ部２０７が接続されている。無線送受信部２０４、ＰＩＡＦＳ制御部２０５、インターフェイス処理部２０６は直列に接続されている。無線送受信部２０４にはアンテナ２０３が接続され、インターフェイス処理部２０６はモデム１０２及び表示器付きキーボード２０８を接続する。
【手続補正１２】
【補正対象書類名】明細書
【補正対象項目名】００４２
【補正方法】変更
【補正の内容】
【００４２】
通信制御装置１０１は、無線送受信部４０４、ＰＩＡＦＳ制御部４０５、インターフェイス処理部４０６、揮発メモリ部４０２、制御部４０１及び不揮発メモリ部４０７で構成される。制御部４０１には、無線送受信部４０４、ＰＩＡＦＳ制御部４０５、揮発メモリ部４０２、不揮発メモリ部４０７が接続されている。無線送受信部４０４、ＰＩＡＦＳ制御部４０５、インターフェイス処理部４０６は直列に接続されている。無線送受信部４０４にはアンテナ４０３が接続され、インターフェイス処理部４０６は複写機１０６及び表示器付きキーボード４０８を接続する。
【手続補正１３】
【補正対象書類名】明細書
【補正対象項目名】符号の説明
【補正方法】変更
【補正の内容】
【符号の説明】
１０１  通信制御装置
１０２  モデム
１０３  集中管理装置
１０４  通信網
１０５  管理センター
１０６  複写機（周辺装置）
１０７  電話回線
１０８  回線制御装置
１０９  パーソナルコンピュータ（ＰＣ）
２０１  制御部
２０７  不揮発メモリ部
２０８  表示器付きキーボード
４０１  制御部
４０７  不揮発メモリ部
４０８  表示器付きキーボード